(57)【要約】【課題】印刷版の凸部の形状を正常に保つことができ、印刷時に所望の形状の印刷が可能となる印刷版を製造することができる印刷版製造用マスク等を提供することを目的とする。【解決手段】所望の形状を有する印刷版を製造するために用いられる印刷版製造用マスクであって、当該印刷版製造用マスクは、前記印刷版に形成される凸部に対応する開口部と、当該開口部の周囲に、前記凸部を補強するための補強部に対応する補強部用開口部と、を有する印刷版製造用マスク等により、上記課題を解決する。【選択図】図６
2007264224.tif 000002
【特許請求の範囲】
【請求項１】
所望の形状を有する印刷版を製造するために用いられる印刷版製造用マスクであって、
当該印刷版製造用マスクは、前記印刷版に形成される凸部に対応する開口部と、
当該開口部の周囲に、前記凸部を補強するための補強部に対応する補強部用開口部と、
を有することを特徴とする印刷版製造用マスク。
【請求項２】
請求項１に記載の印刷版製造用マスクにおいて、
前記補強部用開口部の幅が、５μｍ〜１０μｍであることを特徴とする印刷版製造用マスク。
【請求項３】
請求項１又は請求項２に記載の印刷版製造用マスクにおいて、
前記印刷版に形成される前記凸部の周囲に、前記凸部よりも高さが低い補強部を設けた印刷版を製造できるように前記補強部用開口部が設けられたことを特徴とする印刷版製造用マスク。
【請求項４】
所望の形状を有する印刷版において、
前記印刷版に形成される凸部の周囲に、前記凸部よりも高さが低い補強部を設けたことを特徴とする印刷版。
【請求項５】
請求項４に記載の印刷版において、
前記印刷版は、前記凸部に対応する開口部と、当該開口部の周囲に、前記補強部に対応する補強部用開口部と、
を有する印刷版製造用マスクを用いて製造されることを特徴とする印刷版。
【請求項６】
請求項４又は請求項５に記載の印刷版において、
前記凸部の断面が略台形形状に形成される凸部の斜線に接して前記補強部が設けられていることを特徴とする印刷版。
【請求項７】
請求項４乃至請求項６のいずれか一項に記載の印刷版において、
前記補強部は、上面から見て線状又は、点状に、凸部の周囲に設けられていることを特徴とする印刷版。
【請求項８】
所望の形状を有する印刷版の製造方法において、
基板上に形成された感光性樹脂層上に、前記印刷版に形成される凸部に対応する開口部と、当該開口部の周囲に、前記凸部を補強するための補強部に対応する補強部用開口部と、を有する印刷版製造用マスクを設置する設置工程と、
少なくとも前記印刷版製造用マスクの前記開口部と、前記補強部用開口部と、に向けて紫外線を照射し、前記感光性樹脂を硬化させ、前記凸部と、前記凸部を補強するための補強部となる部分を形成する硬化工程と、
前記凸部と前記補強部となる部分以外の部分を溶剤により溶解させて除去し、前記凸部と、前記補強部とが形成された印刷版を製造する製造工程と、
を有することを特徴とする印刷版の製造方法。
【発明の詳細な説明】
【技術分野】
【０００１】
本発明は、フレキソ印刷等に用いられ、所望の形状を有する印刷版及びこれ形成するために用いられる印刷版製造用マスク等に関する。
【背景技術】
【０００２】
従来から、所望の形状を有する印刷版を製造する際には様々な製造方法が用いられていた。例えば、図１に示すように、感光性樹脂層２にマスク３を密着させ、上方から紫外線４を照射し、マスク３の開口部５から入射する紫外線４により感光性樹脂層２を硬化させ、その後、未硬化部分（硬化させた部分である凸部２ａ以外の部分）２ｂを溶剤により溶解させて除去し、印刷版１を製造する方法がある。また、図２（ａ）に示すように、マスク３を使用せずに感光性樹脂層２の表面にマスク３の代わりとなるカーボン層６を設け、上方からレーザ光７でカーボン層６にマスクパターンを描写して感光性樹脂層２上に直接開口部８を有するマスクを作製した後、図２（ｂ）に示すように、上方から紫外線４を照射し、カーボン層６の開口部８から入射する紫外線４により感光性樹脂層２を硬化させ、その後、未硬化部分（硬化させた部分である凸部２ａ以外の部分）２ｂを溶剤により溶解させて除去し、印刷版１を製造する方法等があった（特許文献１）。
【特許文献１】特開平８−３００６００号公報
【発明の開示】
【発明が解決しようとする課題】
【０００３】
しかし、これらの方法では凸部２ａが硬化された後に感光性樹脂層２の未硬化部分２ｂを溶剤により溶解させて除去する際に、凸部２ａが溶解中において変形してしまう場合があった。具体的には、図３に印刷版の上面図を示すように、本来直線状になるべき凸部２ａ（上面から見た凸部２ａの形状９）が、変形して曲がった形状（上面から見た凸部２ａの形状１０）となる場合がある。そうすると、所望のパターンに印刷ができなくなる。また、印刷時に印圧を加える際に、凸部２ａの剛性不足により凸部２ａが倒れてしまう場合があった。具体的には、図４に印刷版の側面図を示すように、本来直立になるべき凸部２ａ（側面から見た凸部の形状１２）が、変形して倒れた形状（側面から見た凸部の形状１３）となる場合がある。図４に示す、直立の凸部１２を有する印刷版により印刷用紙１１に印刷を行うと、図５（ａ）に示すように所望の直線の印刷がなされ、倒れた凸部１３を有する印刷版を用いて印刷用紙１１に印刷を行うと、図５（ｂ）に示すように線形状の周囲が歪んだ形状等に印刷がなされることになる。そうすると、図５（ｂ）に示す場合には、所望のパターンに正確に印刷ができなくなる。このような傾向は、特に印刷版により細い線や小さな点を表現しようとした場合に顕著である。
【０００４】
本発明は、このような不都合に鑑みてなされたものであり、印刷版の凸部の形状を正常に保つことができ、印刷時に所望の形状の印刷が可能となる印刷版を製造することができる印刷版製造用マスク等を提供することを目的とする。
【課題を解決するための手段】
【０００５】
上記課題を解決するための第１の発明は、所望の形状を有する印刷版を製造するために用いられる印刷版製造用マスクであって、当該印刷版製造用マスクは、前記印刷版に形成される凸部に対応する開口部と、当該開口部の周囲に、前記凸部を補強するための補強部に対応する補強部用開口部と、を有することを特徴とする。
【０００６】
これによれば、感光性樹脂層上に印刷版製造用マスクを設置し、当該印刷版製造用マスクの開口部と、補強部用開口部に向けて紫外線を照射することにより、印刷版製造用マスクの開口部、補強部用開口部を通過した紫外線が照射された部分の感光性樹脂層が硬化することになり、凸部と補強部となる部分のみを硬化させることができる。このようにして印刷版製造用マスクを用いて印刷版を製造すると、凸部の周囲に凸部を補強する補強部を形成することができる。よって、印刷版の凸部の形状を正常に保つことができ、当該印刷版を用いて印刷した場合に所望の形状の印刷が可能となる印刷版を製造することができる。
特に凸部の形状が細い線や、小さな点の場合に、凸部の形状を正確に保つことができる。
【０００７】
上記第１の発明は、前記補強部用開口部の幅が、５μｍ〜１０μｍであってもよい。
【０００８】
これによれば、補強部用開口部の幅が狭いため、感光性樹脂層の高さ全てを硬化させるために必要なエネルギーを感光性樹脂層に与えることができず、補強部の高さが凸部の高さよりも低い印刷版を製造することができる。特に凸部の形状が細い線や、小さな点の場合に、凸部の形状を正確に保つことができる。
【０００９】
上記第１の発明は、前記印刷版に形成される前記凸部の周囲に、前記凸部よりも高さが低い補強部を設けた印刷版を製造できるように前記補強部用開口部が設けられていてもよい。
【００１０】
これによれば、印刷版製造用マスクを用いて印刷版を製造することによって、印刷版に凸部を補強する補強部を形成することができることによって、印刷版の凸部の形状を正常に保つことができ、印刷した場合に所望の形状の印刷が可能となる印刷版を製造することができる。また、補強部の高さを凸部の高さよりも低い印刷版を製造することによって、当該補強部を有する印刷版を用いて任意の印刷用紙に印刷を施す場合に、凸部のみが印刷されるようにすることができ、補強部が印刷されることを防ぐことができる。
【００１１】
上記課題を解決するための第２の発明は、所望の形状を有する印刷版において、前記印刷版に形成される凸部の周囲に、前記凸部の高さよりも高さが低い補強部を設けたことを特徴とする。
【００１２】
これによれば、凸部を補強する補強部を形成することができることによって、印刷版の凸部の形状を正常に保つことができ、印刷した場合に所望の形状の印刷が可能となる印刷版を製造することができる。
【００１３】
また、補強部の高さを凸部の高さよりも低くすることによって、当該補強部を有する印刷版を用いて任意の印刷用紙に印刷を施す場合に、凸部のみが印刷されるようにすることができ、補強部が印刷されることを防ぐことができる。
【００１４】
上記第２の発明は、前記印刷版は、前記凸部に対応する開口部と、当該開口部の周囲に、前記補強部に対応する補強部用開口部と、を有する印刷版製造用マスクを用いて製造されてもよい。
【００１５】
これによれば、印刷版を印刷版製造用マスクを用いて製造することにより、凸部を補強する補強部を形成することができることによって、印刷版の凸部の形状を正常に保つことができ、印刷した場合に所望の形状の印刷が可能となる印刷版を製造することができる。
【００１６】
上記第２の発明は、前記凸部の断面が略台形形状に形成される凸部の斜線に接して前記補強部が設けられていてもよい。
【００１７】
これによれば、凸部の断面が略台形形状に形成される凸部の斜線に接して補強部が設けられることによって、凸部が曲がったり、変形することを確実に防止し、凸部の形状をより正常に保つことができる。
【００１８】
上記第２の発明は、前記補強部は、上面から見て線状又は、点状に、凸部の周囲に設けられていてもよい。
【００１９】
これによれば、補強部は、具体的に上面から見て線状又は、点状に、凸部の周囲に設けられることによって、凸部を確実に補強することができるため、凸部が曲がったり、変形することを防止することができ、凸部の形状をより正常に保つことができる。
【００２０】
上記課題を解決するための第３の発明は、所望の形状を有する印刷版の製造方法において、基板上に形成された感光性樹脂層上に、前記印刷版に形成される凸部に対応する開口部と、当該開口部の周囲に、前記凸部を補強するための補強部に対応する補強部用開口部と、を有する印刷版製造用マスクを設置する設置工程と、少なくとも前記印刷版製造用マスクの前記開口部と、前記補強部用開口部と、に向けて紫外線を照射し、前記感光性樹脂を硬化させ、前記凸部と、前記凸部を補強するための補強部となる部分を形成する硬化工程と、前記凸部と前記補強部となる部分以外の部分を溶剤により溶解させて除去し、前記凸部と、前記補強部を形成し、印刷版を製造する製造工程と、を有することを特徴とする。
【００２１】
これによれば、感光性樹脂層上に印刷版製造用マスクを設置し、当該印刷版製造用マスクの開口部と、補強部用開口部に向けて紫外線を照射することにより、印刷版製造用マスクの開口部、補強部用開口部を通過した紫外線が照射された部分の感光性樹脂層が硬化することになり、凸部と補強部となる部分のみを硬化させることができる。このようにして印刷版製造用マスクを用いて印刷版を製造すると、凸部の周囲に凸部を補強する補強部を形成することができる。よって、印刷版の凸部の形状を正常に保つことができ、当該印刷版を用いて印刷した場合に所望の形状の印刷が可能となる印刷版を製造することができる。特に凸部の形状が細い線や、小さな点の場合に、凸部の形状を正確に保つことができる。
【発明の効果】
【００２２】
本発明によれば、感光性樹脂層上に印刷版製造用マスクを設置し、当該印刷版製造用マスクの開口部と、補強部用開口部に向けて紫外線を照射することにより、印刷版製造用マスクの開口部、補強部用開口部を通過した紫外線が照射された部分の感光性樹脂層が硬化することになり、凸部と補強部となる部分のみを硬化させることができる。このようにして印刷版製造用マスクを用いて印刷版を製造すると、凸部の周囲に凸部を補強する補強部を形成することができる。よって、印刷版の凸部の形状を正常に保つことができ、当該印刷版を用いて印刷した場合に所望の形状の印刷が可能となる印刷版を製造することができる。特に凸部の形状が細い線や、小さな点の場合に、凸部の形状を正確に保つことができる。
【発明を実施するための最良の形態】
【００２３】
以下に、本発明の印刷版製造用マスク、印刷版及び印刷版の製造方法について、図面を用いて具体的に説明する。
【００２４】
（印刷版製造用マスクについて）
図６（ａ）は、本発明の印刷版製造用マスクを示す概略図であり、黒い部分は印刷版製造用マスク２０、白い部分は開口部２１と補強部用開口部２２を示す。図６（ｂ）は、図６（ａ）で示した本発明の印刷版製造用マスク２０の説明を簡便にするために印刷版製造用マスク２０を白色で示した図である。以下、図６（ａ）（ｂ）の両者を単に図６と示す場合がある。
【００２５】
本発明の印刷版製造用マスク２０は、図７を用いて後述するように、凸部３１等を有する印刷版３０を製造するために用いられるマスクであり、図６に示すように、開口部２１と、補強部用開口部２２と、を有している。なお、開口部２１の幅をＷ１、長さをＴ１と示し、補強部用開口部２２の幅をＷ２、長さをＴ２と示す。ここで、印刷版製造用マスク２０の開口部２１が、略長方形であった場合に開口部２１の幅Ｗ１は、開口部２１の開口部分の短い辺を示すものとし、開口部２１の長さＴ１は、開口部２１の幅Ｗ１に対して開口部分の長い辺を示すものとする。また、同様に、印刷版製造用マスク２０の補強部用開口部２２が、略長方形であった場合に補強部用開口部２２の幅Ｗ２は、補強部用開口部２２の開口部分の短い辺を示すものとし、補強部開口部２２の長さＴ１は、補強部用開口部２２の幅Ｗ１に対して開口部分の長い辺を示すものとする。
【００２６】
まず、開口部２１について詳細に説明する。開口部２１は、図７に示す印刷版３０の凸部３１を形成するために設けられたものであり、開口部２１は、印刷版３０に形成される凸部３１に対応する形状で設けられている。具体的には図９（ａ）〜図９（ｄ）を用いて後述するが、感光性樹脂層２４上に印刷版製造用マスク２０を設置し、当該印刷版製造用マスク２０の開口部２１に向けて紫外線２５を照射することにより、開口部２１を通過した紫外線２５によって、感光性樹脂層２４の凸部３１となる部分のみが硬化され、凸部３１となる部分が形成されることになる。
【００２７】
開口部２１の形状、長さＴ１、個数、位置関係等は、図６や後述する図１０（ａ）〜（ｅ）に示すように様々な態様とすることができ、特に限定されないが、上述したように印刷版製造用マスク２０の開口部２１を用いて形成される印刷版３０が形成されるべき形状、長さ、個数、位置関係になるように任意に設定すればよい。
【００２８】
また、開口部２１の幅Ｗ１は、具体的には後述するが、感光性樹脂層２４上に印刷版製造用マスク２０を設置し、当該印刷版製造用マスク２０の開口部２１に向けて紫外線２５を照射した場合、開口部２１の幅Ｗ１が、例えば２０μｍ〜１０ｍｍであるとすると、紫外線２５が開口部２１を通過し、凸部３１となる部分として感光性樹脂層２４を硬化させるために必要なエネルギーを感光性樹脂層２４に十分与えることができる。よって、凸部３１となる部分は、図８に示すように感光性樹脂層２４の高さＨ３の高さまで硬化されることになる。具体的には、感光性樹脂層２４に紫外線２５を照射すると、感光性樹脂層２４の底部（照射側から最も遠い位置）から徐々に硬化していき、凸部３１として感光性樹脂層２４が図８に示すような（断面が略台形形状であって照射された側の辺が短い）形状で硬化される。なお、開口部２１の幅Ｗ１が、特に１０μｍ〜４０μｍ程度と、細い場合にも、本発明の印刷版製造用マスク２０を用いて印刷版３０を製造することにより、凸部３１が曲がったり、変形することを防止し、凸部の形状を正常に保つことができ、印刷版３０を用いて印刷した場合に正常な印刷が可能になる。
【００２９】
次に、補強部用開口部２２について詳細に説明する。
補強部用開口部２２は、図７に示す印刷版３０の補強部３２を形成するために、開口部２１の周囲に設けられたものであり、補強部用開口部２２は、印刷版３０に形成される補強部３２に対応する形状で設けられている。具体的には図９（ａ）〜図９（ｄ）を用いて後述するが、感光性樹脂層２４上に印刷版製造用マスク２０を設置し、当該印刷版製造用マスク２０の補強部用開口部２２に向けて紫外線２５を照射することにより、補強部用開口部２２を通過した紫外線２５によって、感光性樹脂層２４の補強部３２となる部分のみが硬化され、補強部３２となる部分が形成されることになる。
【００３０】
例えば、図６に示す印刷版製造用マスク２０には、凸部３１に対応する略長方形の開口部２１の周囲に略長方形の補強部用開口部２２が複数設けられている。当該印刷版製造用マスク２０における略長方形の補強部用開口部２２は、開口部２１の直線（長さＴ１方向）に対して垂直な方向に長く形成されている。
【００３１】
補強部用開口部２２の形状、長さＴ２、位置関係等は、図６や後述する図１０（ａ）〜（ｅ）に示すように様々な態様とすることができ、特に限定されないが、少なくとも、開口部２１により形成される印刷版３０の凸部３１を補強できる補強部３２を形成できるものである必要がある。具体的には、図７に示すように凸部３１は断面が略台形形状であり、印刷インクが塗布され、印刷用紙等が接する位置よりもその土台の部分が広くなる形状であるが、補強部３２は、その凸部３１の断面の略台形形状における斜線（斜面）に形成されている必要がある。補強部３２をこのような位置に形成できるように、補強部用開口部２２の形状、長さＴ２、位置関係等が決められることになる。
【００３２】
具体的には、補強部用開口部２２が図６に示す位置関係で設けられている場合には、長さＴ２は、１０μｍ〜２０μｍであることが望ましい。補強部用開口部２２は、図６に示すように離れた位置に複数設けられている場合に、その個数は特に限定されないが、補強部３２が凸部３１を補強できる間隔で設けられるように、その個数が決められる。
【００３３】
補強部用開口部２２の位置は、特に限定するものではなく、図６や後述する図１０の（ａ）〜（ｅ）に示すように様々な位置に補強部用開口部２２を形成することができる。しかし、印刷版３０の凸部３１を補強することができる補強部３２を形成することが必要であるため、補強部用開口部２２は、開口部２１を挟んで両側に設け、その他、均等な間隔で複数設けることが望ましい。
【００３４】
隣り合うそれぞれの補強部用開口部２２との間隔Ｓ１は、特に限定されるものではない。しかし、上述したように、印刷版３０の凸部３１を補強することができる補強部３２を形成することが必要であるため、凸部３１が補強可能な位置に均等な間隔で補強部３２を形成できるように補強部用開口部２２を設ける必要がある。具体的には、それぞれの補強部用開口部２２との間隔Ｓ１は、１０μｍ〜５０μｍであることが望ましい。
【００３５】
開口部２１と補強部用開口部２２との間隔Ｓ２は、特に限定されるものではなく、開口部２１は補強部用開口部２２と接していても接していなくてもよい。しかし、補強部３２は、元来凸部３１を補強するために用いられるものであるため、あまりにも凸部３１と補強部３１とが離れていると、補強部３２が凸部３１を補強する効果が減少してしまう。よって、間隔Ｓ２は、凸部３１が補強部３２に補強されるために必要な間隔、通常５μｍ〜１０μｍであることが望ましい。ここで、図８は、印刷版３０の製造時（後述する硬化工程）の印刷版の断面を示した図である。この図８に示すように、最適には、補強部３２は、凸部３１の根元と補強部３２の根元が重なるような位置に形成されるように補強部用開口部２２を形成することが望ましい。
【００３６】
本発明において、補強部用開口部２２の幅Ｗ２が、５μｍ〜１０μｍであることに特徴を有している。
【００３７】
補強部用開口部２２の幅Ｗ２は、上述した場合と同様に、感光性樹脂層２４上に印刷版製造用マスク２０を設置し、当該印刷版製造用マスク２０の補強部用開口部２２に向けて紫外線２５を照射させた場合、紫外線２５は補強部用開口部２２を通過して通過した部分の感光性樹脂層２４を硬化させることになるが、補強部用開口部２２の幅Ｗ２が、５μｍ〜１０μｍと開口部２１の幅Ｗ１に比べて狭いため、補強部３２となる部分としての感光性樹脂層２４を硬化させるために必要なエネルギーを十分感光性樹脂層２４に与えることができない。よって補強部３２となる部分は、図８に示すように感光性樹脂層２４の高さＨ３までは硬化されず、これよりも低い、例えばＨ４の高さに硬化されることになる。上記と同様に、感光性樹脂層２４に紫外線２５を照射すると、感光性樹脂層２４の底部から徐々に硬化していき、補強部３２として感光性樹脂層２４が図８に示すような形状で硬化される。
【００３８】
印刷版製造用マスク２０の材料は、従来公知の印刷版製造用マスク用の材料が用いられ、特に限定されないが、例えば、カーボン、アルミ等が用いられる。印刷版製造用マスク２０の厚さは、従来公知の印刷版製造用マスク用の厚さに基づいて設定され、特に限定されないが、例えば、５μｍ〜１００μｍであってもよい。印刷版製造用マスク２０の開口部２１、補強部用開口部２２を形成する方法は、特に限定されないが、例えば、開口部２１、補強部用開口部２２に対応するフィルムを製作し、好適な光源を用い、印刷版製造用マスク２０の材料となる感光性樹脂層を当該フィルムを介して感光し、その後、感光性樹脂層を現像／洗浄することにより形成する。また、印刷版製造用マスク２０の開口部２１、補強部用開口部２２の形成方法として、レーザー等によるアブレーション法という手法を用いてもよい。
【００３９】
（印刷版について）
図７は、本発明の印刷版を示す概略図である。
【００４０】
本発明の印刷版３０は、図７に示すように、凸部３１と、補強部３２と、基板２３により構成されている。
【００４１】
図７の印刷版３０は、図６を用いて説明した印刷版製造用マスク２０を用いて形成された印刷版の一部を示す。なお、凸部３１の幅をＷ３、長さをＴ３、高さをＨ３と示し、補強部３２の幅をＷ４、長さをＴ４、高さをＨ４と示す。ここで、凸部３１の幅Ｗ３は、凸部３１の断面形状である略台形形状の上部の短い辺を示すものとし、凸部３１の長さＴ３は、凸部３１の幅Ｗ３に対して上部の長い辺を示すものとする。さらに、凸部３１の高さＨ３は、凸部３１の断面形状である略台形形状の底部から上部までを垂直に測った長さである。また、同様に、補強部３２の幅Ｗ４は、補強部３２の断面形状が略台形形状になるような部分（補強部３２を凸部３１の長さＴ３と平行に切った場合の補強部３２の断面形状）の上部の短い辺を示すものとし、補強部３２の長さＴ４は、補強部３２の幅Ｗ４に対して上部の長い辺を示すものとする。さらに、補強部３２の高さＨ４は、補強部３２の断面形状である略台形形状の底部から上部までを垂直に測った長さである。ここで、基板２３としては、従来公知の基板を用いて構成してもよい。
【００４２】
まず、凸部３１について説明する。凸部３１は、印刷版３０を用いて任意の印刷用紙に印刷を施す場合に、印刷用紙に印刷されるべき部分として形成されるものである。
【００４３】
ここで、凸部３１の形状は、印刷版３０を用いて任意の印刷用紙に印刷を施す際に印刷されるべき形状にしたがって任意に設定すればよい。なお、詳細は後述するが、感光性樹脂層２４に紫外線２５を照射すると、感光性樹脂層２４の底部から徐々に硬化していき、凸部３１として感光性樹脂層２４が図７に示すよう断面が略台形形状に硬化され、斜面を有している。
【００４４】
凸部３１の高さＨ３は、印刷版３０を用いて任意の印刷用紙に印刷を施す際に印刷可能な高さであれば特に限定されることはない。具体的には、凸部３１の高さＨ３は、０．７６ｍｍ〜２．８６ｍｍであることが望ましい。
【００４５】
凸部３１の幅Ｗ３は、印刷版３０を用いて任意の印刷用紙に印刷を施す際に印刷されるべき形状にしたがって任意に設定すればよい。なお、凸部３１の幅Ｗ３が細い場合に、凸部３１を補強する補強部３２を用いる効果がより現れることになる。具体的には、補強部３２を用いる場合には、凸部３１の幅Ｗ３は、１０μｍ〜４０μｍ程度に細くても、補強部３２により凸部３１を補強できる。
【００４６】
凸部３１の長さＴ３、個数、位置関係は、印刷版３０を用いて任意の印刷用紙に印刷を施す際に印刷されるべき長さ、個数にしたがって任意に設定すればよい。
【００４７】
次に、補強部３２について詳細に説明する。
補強部３２は、凸部３１を補強するために凸部３１の周囲に設けられたものである。具体的には後述するが、硬化工程において、凸部３１と、補強部３２となる部分が硬化された後、凸部３１と補強部３２となる部分以外の部分の感光性樹脂層２４を溶剤により溶解されて除去する際に凸部３１が溶解中において変形してしまうといった不都合、また、印刷時に印圧を加えると凸部３１の剛性不足により凸部３１が倒れてしまい、印刷用紙等に所望の形状の印刷ができないという不都合を解消すべく凸部３１を補強するために設けられたものである。
【００４８】
補強部３２の形状、長さＴ４、位置関係等は、図７を用いて説明するように様々な態様とすることができ、特に限定されないが、少なくとも、印刷版３０が倒れたり、変形しないよう補強できるものである必要がある。具体的には、図７に示すように凸部３１は断面が略台形形状であり、印刷インクが塗布され、印刷用紙等が接する位置よりもその土台の部分が広くなる形状であるが、補強部３２は、その凸部３１の断面の略台形形状における斜線に形成されている必要がある。補強部３２をこのような位置に形成できるように、補強部３２の形状、長さＴ４、位置関係等が決められることになる。
【００４９】
ここで、補強部３２の高さＨ４は、凸部３１の高さＨ３よりも低く形成する。補強部３２は、凸部３１を補強するために凸部３１の周囲に設けられたものであるが、印刷版３０を用いて任意の印刷用紙に印刷を施す場合には印刷がなされない部分である。よって、任意の印刷用紙に印刷を施す場合に凸部３１のみが印刷されるようにするため、補強部３２は、印刷版３０を用いて行う場合に印刷されない高さであることが必要である。具体的には、凸部３１の高さＨ３と比べて５０μｍ〜４００μｍ低いことが望ましい。また、補強部３２の高さＨ４は凸部３１の高さＨ３の６０％〜９５％の高さであることが望ましい。印刷し補強部３２の高さＨ４がこの範囲であることにより、印刷した際に、補強部２２が印刷されることがないという利点がある。
【００５０】
補強部３２の幅Ｗ４、長さＴ４は、凸部３１を補強することができる幅、長さであれば特に限定されることはないが、具体的に、図７に示す形状の補強部３２である場合には、補強部３２の幅Ｗ４は、１０μｍ〜２０μｍであることが望ましく、補強部３２の長さＴ４は、５μｍ〜１００ｍｍであることが望ましい。
【００５１】
補強部３２の個数は、特に限定するものではないが、印刷版３０の凸部３１を補強することができる程度の数の補強部３２を形成することが必要であるため、補強部３２の個数は、前記補強部３２が形成できる個数が必要である。
【００５２】
隣り合うそれぞれの補強部３２との間隔Ｓ３（図７参照）は、特に限定されるものではない。しかし、上述したように、印刷版３０の凸部３１を補強することができる補強部３２を形成することが必要であるため、凸部３１が補強可能な位置に均等な間隔で補強部３２を設置することが望ましい。具体的には、隣り合うそれぞれの補強部３２との間隔Ｓ３は、２０μｍ〜１ｍｍであることが望ましい。
【００５３】
更に、凸部３１と補強部３２との間隔Ｓ４（図７、８参照）は、特に限定されるものではなく、凸部３１は補強部２２と接していても接していなくてもよい。しかし、補強部３２は、元来凸部３１を補強するために用いられるものであるため、あまりにも凸部３１と補強部３２とが離れていると、補強部３２が凸部３１を補強する効果が減少してしまう。よって、補強部３２の形状、大きさ、長さ、幅等によって異なるが、凸部３１と補強部３２との間隔Ｓ４が、通常０μｍ〜１００μｍとなるようにする。最適には、補強部３２は、図８に示すように、凸部３１の根元と補強部３２の根元が重なるような位置に形成されることが望ましい。
【００５４】
本発明の印刷版３０は、凸部３１が細い線を表現したものであっても、凸部３１のみは図３に示す直線９のように形成でき、これを用いて印刷した場合に図５（ａ）に示すように、所望のパターンで正確に印刷ができることとなる。
【００５５】
（印刷版の製造方法について）
図９（ａ）〜（ｄ）は本実施形態としての印刷版の製造方法を工程順に示す説明図である。以下、工程順に説明する。
【００５６】
まず、図９（ａ）に示すように、基板２３の上に感光性樹脂層２４を形成する。
【００５７】
ここで、基板２３は、当該方法を実施するための作業台としての役割を果たすものであり、したがって特に限定されることはないが、例えば、ＰＥＴ、アクリル、アルミ、ステンレス等を用いることができる。また、感光性樹脂層２４は、前記本願の印刷版３０における凸部３１を形成するための材料であり、従来公知の樹脂を用いることができる。例えば、ポリケイ皮酸ビニル等を用いることができる。
【００５８】
次に、図９（ｂ）に示すように、
基板２３上に形成された感光性樹脂層２４上に、開口部２１と補強部用開口部２２とを有する印刷版製造用マスク２０を設置する（設置工程）。
【００５９】
この時、基板２３と印刷版製造用マスク２０が略平行になるように設置する。
【００６０】
次に、図９（ｃ）に示すように、少なくとも印刷版製造用マスク２０の開口部２１と、補強部用開口部２２と、に向けて紫外線２５を照射し、感光性樹脂を硬化させ、凸部３１と、凸部３１を補強するための補強部３２となる部分を形成する（硬化工程）。
【００６１】
具体的には、印刷版製造用マスク２０の開口部２１と、補強部用開口部２２に向けて紫外線２５を照射すると、印刷版製造用マスク２０の開口部２１、補強部用開口部２２を通過した紫外線２５が照射された部分の感光性樹脂層２４が硬化することになり、凸部３１と補強部３２となる部分のみを硬化させることができる。このようにして凸部３１と、補強部３２となる部分を形成することができる。
【００６２】
ここで、紫外線の照射量は硬化させる凸部３１と補強部３２の形状、長さ等によって異なるが、例えば積算光量が１０００ｍＪ〜８０００ｍＪとなるように紫外線を照射することによって、凸部３１と補強部３２を形成することができる。
【００６３】
次に、図９（ｄ）に示すように、印刷版製造用マスク２０を取り外し、凸部３１と補強部３２となる部分以外の部分を溶剤により溶解させて除去し、凸部３１と、補強部３２を形成し、印刷版を製造する（形成工程）。
【００６４】
具体的には、前記硬化工程において、凸部３１と、補強部３２となる部分が硬化され、形成された後に凸部３１と補強部３２となる部分以外の部分の感光性樹脂層２４を除去することによって、図９（ｄ）に示すように、基板２３上に凸部３１と補強部３２を形成し、印刷版を製造することができる。なお、この時用いる溶剤は、従来公知のものが使用でき、特に限定はされないが、例えば、芳香族炭化水素系浴剤等が使用できる。
【００６５】
なお、上記実施形態は印刷版製造用マスク２０を用いて印刷版３０を製造する場合について説明したが、本発明の印刷版３０は、印刷版製造用マスク２０を直接用いず、公知技術（図２参照）に示したように、感光性樹脂層上にカーボン層を設け、当該カーボン層を設けた感光性樹脂層にレーザ光線で描写し、カーボン層におけるマスクを製造し、当該カーボン層におけるマスクを用いて印刷版３０を製造してもよい。この場合には、カーボン層におけるマスクの開口部の形状を本発明の印刷版製造用マスク２０と同様の形状にする。
【００６６】
（印刷版製造用マスク２０及び印刷版３０の形状について）
上記に示した印刷版製造用マスク２０の種類は図６に示すものに限定されるものではなく、図１０（ａ）〜（ｅ）に示すような多種多様なものであってもよい。
【００６７】
具体的には、図１０（ａ）の印刷版製造用マスク２０の開口部２１は、図６に示したものと同様に略長方形に開口されているが、補強部用開口部２２は、図６に示したものとは異なり、開口部２１に接するように開口されている。ここで、補強部用開口部２２の長さ、位置関係、個数、幅、隣り合う補強部２２との間隔、凸部２１と補強部２２との間隔等は図６を用いて説明したものと同様に設置される。開口部２１と補強部用開口部２２が接していても、補強部用開口部２２の幅が極細いため、開口部２１の形状に応じた凸部３１とこれよりも高さの低い補強部３２が形成できる。
【００６８】
図１０（ｂ）の印刷版製造用マスク２０の開口部２１は図６に示したものと同様に略長方形に開口されているが、補強部用開口部２２は、図６に示したものとは異なり、開口部２１の長さ方向に沿って開口部２１を挟んで両側に平行に細長い略長方形の形状に設けられている。ここで、補強部用開口部２２の長さは、特に限定はされないが、図１０（ｂ）のように、開口部２１の長さと同様の長さであってもよいし、開口部２１の長さの長さよりも長い、又は短い長さであってもよい。凸部３１の補強の観点からは、補強部用開口部２２の長さは、開口部２１の長さと同程度またはこれより長いことが好ましい。
【００６９】
補強部用開口部２２の位置は、特に限定するものではないが、印刷版３０の凸部３１を補強することができる補強部３２を形成することが必要である。開口部２１と補強部用開口部２２との間隔は、特に限定されるものではないが、補強部３２は、元来凸部３１を補強するために用いられるものであるため、あまりにも凸部３１と補強部３２とが離れていると、補強部３２が凸部３１を補強する効果が減少してしまう。よって、開口部２１と補強部用開口部２２との間隔は、凸部３１が補強部３２に補強されるために必要な間隔、通常１０μｍ〜０．２ｍｍであることが望ましい。最適には、補強部３２は、図８について上述したように、凸部３１の根元と補強部３２の根元が重なるような位置に形成されるように補強部用開口部２２を形成することが望ましい。
【００７０】
ここで、補強部用開口部２２の幅が、５μｍ〜１０μｍであることに特徴を有している。なお、補強部用開口部２２は、略長方形であるため、補強部用開口部２２の幅は、補強部用開口部２２の開口部分の短い辺を示すものとする。補強部用開口部２２の幅は図６において上述したものと同様である。
【００７１】
図１０（ｃ）の印刷版製造用マスク２０の開口部２１は、図６に示したものと同様に略長方形に開口されているが、補強部用開口部２２は、図６に示したものとは異なり、開口部２１を挟んで両側に小さな複数の略円形の形状に開口されている。この補強部用開口部２２は、開口部２１と接していない場合について図示しているが、ここで補強用開口部２２は、開口部２１と接していてもよい。
【００７２】
補強部用開口部２２は略円形であるため、上記した補強部用開口部２２の長さ、幅に変えて直径の長さにより略円形を定義するものとする。具体的には、直径５μｍ〜１０μｍであることが望ましい。なお、この直径の値を本発明で幅と定義する。図１０（ｃ）では略円形になっているが、楕円等の形状であっても、凸部３１を補強することができる形状であれば特に形状は限定されないものとする。他に、１０（ｃ）における補強部用開口部２２の位置関係、個数、隣り合う補強部２２との間隔、凸部２１と補強部２２との間隔等は、図６において上述したものと同様である。
【００７３】
図１０（ｄ）の印刷版製造用マスク２０の開口部２１は、図６に示したものとは異なり、略円形に開口されている。開口部２１は略円形であるため、上記した開口部２１の長さ、幅に変えて直径の長さにより略円形を定義するものとする。具体的には、直径は１０μｍ〜１００ｍｍであることが望ましい。図１０（ｄ）では開口部２１は、略円形になっているが、楕円等の形状であってもよく、形状は限定されないものとする。
【００７４】
開口部２１の直径が、特に５μｍ〜２０ｍｍ程度と、細い場合にも、本発明の印刷版製造用マスク２０を用いて印刷版３０を製造することにより、凸部３１が曲がったり、変形することを防止し、凸部３１の形状を正常に保つことができ、印刷版３０を用いて印刷した場合に正常な印刷が可能になる。
【００７５】
開口部２１の個数、位置関係等は、図６を用いて上述したように様々な態様とすることができ、特に限定されないが、上述したように印刷版製造用マスク２０の開口部２１を用いて形成される印刷版３０が形成されるべき個数、位置関係になるように任意に設定すればよい。
【００７６】
更に、印刷版製造用マスク２０の補強部用開口部２２は、開口部２１の周囲に放射状に４本の略長方形に開口されている。ここで、図１０（ｄ）の印刷版製造用マスク２０の上方に示している補強部用開口部２２は、開口部２１と接しており、下方に示している補強部用開口部２２は、開口部２１と接していない。このように、開口部２１の周囲に略長方形の補強部用開口部２２を放射状に設ける場合には、開口部２１と補強部用開口部２２とは接していても接していなくてもよい。また、略長方形の補強部用開口部２２の個数は、図１０（ｄ）に示す４本に限定されないが、複数本の補強部用開口部２２が略等間隔で放射状に設けられていることが好ましい。補強部用開口部２２の長さは、特に限定はされないが、図１０（ｂ）のように、開口部２１の略円形の直径と同様の長さであってもよいし、略円形の直径よりも長い、又は短い長さであってもよい。補強部用開口部２２の位置、幅等は上述したものを参照するものとする。
【００７７】
図１０（ｅ）の印刷版製造用マスク２０の開口部２１は、図１０（ｄ）と同様に、略円形に開口されている。更に、補強部用開口部２２は、その開口部２１の周囲に一周線を描くように形成されている。
【００７８】
補強部用開口部２２の位置は、特に限定するものではないが、印刷版３０の凸部３１を補強することができる補強部３２を形成することが必要である。開口部２１と補強部用開口部２２との間隔（非開口部の幅）は特に限定されるものではないが、補強部３２は、元来凸部３１を補強するために用いられるものであるため、あまりにも凸部３１と補強部３２とが離れていると、補強部３２が凸部３１を補強する効果が減少してしまう。よって、開口部２１と補強部用開口部２２との間隔は、凸部３１が補強部３２に補強されるために必要な間隔、通常１０μｍ〜０．２ｍｍであることが望ましい。最適には、補強部３２は、図８について上述したように、凸部３１の根元と補強部３２の根元が重なるような位置に形成されるように補強部用開口部２２を形成することが望ましい。ここで、補強部用開口部２２の幅が、５μｍ〜１０μｍであることに特徴を有している。なお、補強部用開口部２２は、図１０（ｃ）と同様に開口部２１の周囲に点状に設けられていてもよい。
【００７９】
ここで、本実施形態において印刷版製造用マスク２０を用いて印刷版３０を製造する場合について説明したが、このような場合に、図１０（ｅ）における開口部２１と補強部用開口部２２との間（非開口部の幅）の固定方法は、マスク２０の下に非開口部を支持するフィルム層等が形成され、それにより非開口部が固定されることになる。よって、補強部用開口部２２が開口部２１の周囲に接していない場合であっても非開口部が固定されることになるため、当該印刷版製造用マスク２０を印刷版３０を製造することができる。また、本発明の印刷版３０は、印刷版製造用マスク２０を直接用いず、公知技術（図２参照）に示したように、感光性樹脂層上にカーボン層を設け、当該カーボン層を設けた感光性樹脂層にレーザ光線で描写し、カーボン層におけるマスクを製造し、当該カーボン層におけるマスクを用いて印刷版３０を製造してもよい。この場合には、図１０（ｅ）における開口部２１と補強部用開口部２２との間（非開口部）は、図２に示すように、非開口部が感光性樹脂層２４に密着しているため固定されることになる。よって、補強部用開口部２２が開口部２１の周囲に接していない場合であっても非開口部が固定されることになるため、当該印刷版製造用マスク２０を印刷版３０を製造することができる。なお、この場合には、カーボン層におけるマスクの開口部の形状を本発明の印刷版製造用マスク２０と同様の形状にする。
【００８０】
更に、このような多種多様な印刷版製造用マスク２０を用いて印刷版３０を製造する際の「断面」を図１１（ａ）〜（ｅ）に示す。なお、図１１（ａ）〜（ｅ）は、図１０（ａ）〜（ｅ）の断面で示す位置に見られる印刷版３０を製造する際の様子を示す図である。ここで、図１１（ａ）は、図１０（ａ）の印刷版製造用マスク２０を用いて印刷版３０を製造する際の様子を示す図である。
【００８１】
具体的には、図１０（ａ）に示すように、補強部用開口部２２が開口部２１と接していることによって図１１（ａ）に示すように紫外線を照射した場合に補強部３２の上面が凸部の略台形形状の斜線に接するような形状になる。
【００８２】
図１１（ｂ）は、図１０（ｂ）の印刷版製造用マスク２０を用いて製造される印刷版３０を製造する際の様子を示す図であり、具体的には、図１０（ｂ）に示すように、補強部用開口部２２が開口部２１とは少し離れて設けられているが、補強部用開口部２２と開口部２１との間隔が小さいため、図１１（ｂ）に示すように紫外線を照射した場合に補強部３２の上面が凸部の斜線に接するような形状になる。
【００８３】
図１１（ｃ）は、図１０（ｃ）の印刷版製造用マスク２０を用いて製造される印刷版３０を製造する際の様子を示す図であり、具体的には、図１０（ｃ）に示すように、補強部用開口部２２が開口部２１とは少し離れて設けられているため、紫外線の照射量にもよるが、図１１（ｃ）に示すように補強部３２における凸部３１の斜線に接する部分は、補強部３２の上面よりも低い高さとなる。
【００８４】
図１１（ｄ）は、図１０（ｄ）の印刷版製造用マスク２０を用いて製造される印刷版３０を製造する際の様子を示す図であり、具体的には、図１０（ｄ）の印刷版製造用マスク２０の上方に示すように、補強部用開口部２２が開口部２１と接している場合には、図１１（ｄ）に示すように紫外線を照射した場合に補強部３２の上面が凸部の略台形形状の斜線に接するような形状になる。また、図１０（ｄ）の印刷版製造用マスク２０の下方に示すように、補強部用開口部２２が開口部２１とは少し離れて設けられているが、補強部用開口部２２と開口部２１との間隔が小さい場合には、図１１（ｄ）に示すように紫外線を照射した場合に補強部３２の上面が凸部の斜線に接するような形状になる。
【００８５】
図１１（ｅ）は、図１０（ｅ）の印刷版製造用マスク２０を用いて製造される印刷版３０を製造する際の様子を示す図であるが、具体的には、図１１（ｂ）において説明したものと同様である。
【００８６】
なお、上記実施形態において、印刷版製造用マスク２０の補強部用開口部２２の幅Ｗ２を５〜１０μｍとし、印刷版３０を製造する場合について説明したが、補強部３２の幅を上記幅で形成することが困難な場合は、補強部用開口部２２の幅Ｗ２を形成可能である最小の幅で描写し、レーザの出力（エネルギー）を減少させることによって、補強部３２の高さを凸部の高さＨ３よりも低い高さＨ４に形成してもよい。
【００８７】
補強部３２は具体的に、略長方形、略円形、楕円形等の形状であるとして説明したが、略長方形等の形状は、開口部２２が線状に凸部の周囲に設けられていることの具体例である。また、略円形、楕円形等の形状は、開口部２２が点状に凸部の周囲に設けられていることの具体例である。
【００８８】
以上説明したように、感光性樹脂層上に印刷版製造用マスクを設置し、当該印刷版製造用マスクの開口部と、補強部用開口部に向けて紫外線を照射することにより、印刷版製造用マスクの開口部、補強部用開口部を通過した紫外線が照射された部分の感光性樹脂層が硬化することになり、凸部と補強部となる部分のみを硬化させることができる。このようにして印刷版製造用マスクを用いて印刷版を製造すると、凸部の周囲に凸部を補強する補強部を形成することができる。よって、印刷版の凸部の形状を正常に保つことができ、当該印刷版を用いて印刷した場合に所望の形状の印刷が可能となる印刷版を製造することができる。
【図面の簡単な説明】
【００８９】
【図１】先行技術における印刷版の製造方法について説明するための図である。
【図２】先行技術における印刷版の製造方法について説明するための図である。
【図３】未硬化部分を溶剤により溶解させて除去する場合について説明するための図である。
【図４】印刷時の印刷版の凸部を示す図である。
【図５】印刷用紙に印刷が施された際の様子を示す図である。
【図６】本発明の印刷版製造用マスクを示す概略図である。
【図７】本発明の印刷版を示す概略図である。
【図８】本発明の印刷版を製造する際の印刷版の断面を説明するための図である。
【図９】本発明の印刷版を製造する製造方法を示す図である。
【図１０】本発明の印刷版製造用マスクを示す概略図である。
【図１１】本発明の印刷版を製造する際の様子を説明するための図である。
【符号の説明】
【００９０】
２０・・・印刷版製造用マスク
２１・・・開口部
２２・・・補強部用開口部
２３・・・基板
２４・・・感光性樹脂層
２５・・・紫外線
３０・・・印刷版
３１・・・凸部
３２・・・補強部
Ｗ１・・・開口部の幅
Ｗ２・・・補強部用開口部の幅
Ｗ３・・・凸部の幅
Ｗ４・・・補強部の幅
Ｔ１・・・開口部の長さ
Ｔ２・・・補強部用開口部の長さ
Ｔ３・・・凸部の長さ
Ｔ４・・・補強部の長さ
Ｈ３・・・凸部の高さ
Ｈ４・・・補強部の高さ
【図１】
2007264224.tif 000003
【図２】
2007264224.tif 000004
【図３】
2007264224.tif 000005
【図４】
2007264224.tif 000006
【図５】
2007264224.tif 000007
【図６】
2007264224.tif 000008
【図７】
2007264224.tif 000009
【図８】
2007264224.tif 000010
【図９】
2007264224.tif 000011
【図１０】
2007264224.tif 000012
【図１１】
2007264224.tif 000013